(57)【要約】      （修正有）【課題】従来技術における低温火傷の防止や化粧効果の向上を含めて眼精疲労の回復が図れるような実用的な目用温湿化粧水シートを提供する。【解決手段】目用温湿化粧水シートは、空気の存在によって発熱反応をする発熱部材３を不織布で形成した表面シート１と裏面シートとの間に挟み、裏面シートに含水親水性ゲル剤からなる粘着シートを取り付けた目用温湿化粧水シートであって、前記粘着シートの含水親水性ゲル剤中に少なくともヒアルロン酸ナトリウム若しくは酢酸トコフェロールを含んでいる構成としたことによって、眼精疲労の回復だけでなく、保湿性が良く肌荒れ改善について顕著な効果を期待できる。【選択図】図１
2013094484.tif 000002
【特許請求の範囲】
【請求項１】
空気の存在によって発熱反応をする発熱部材を不織布で形成した表面シートと裏面シートとの間に挟み、裏面シートに含水親水性ゲル剤からなる粘着シートを取り付けた目用温湿化粧水シートであって、
前記粘着シートの含水親水性ゲル剤中に少なくともヒアルロン酸ナトリウム若しくは酢酸トコフェロールの有効成分を０．０１〜５．０重量％配合してなることを特徴とする目用温湿化粧水シート。
【請求項２】
前記発熱部材の使用量と厚みとを調整して発熱温度と時間とを調整したことを特徴とする請求項１に記載の目用温湿化粧水シート。
【請求項３】
前記発熱部材の使用量が、カイロ充填比率で０．２４〜０．２９g/cm2で、厚みが２〜４ｍｍ、発熱温度が３５℃〜４８℃、発熱時間が３０分〜１時間３０分であることを特徴とする請求項１乃至請求項２に記載の目用温湿化粧水シート。
【発明の詳細な説明】
【技術分野】
【０００１】
本発明は、目頭および目の周囲の肌を乾燥から守るまたは肌荒れを改善する若しくは目の疲れを癒すため、目頭および目の周囲に貼着して使用する温湿化粧水シートに関するものである。
【背景技術】
【０００２】
この種の温湿シートとしては、複数の発明（技術）が公知になっている。その公知に係る第１の従来技術として、例えば、化学エネルギーを利用した水蒸気発生部を有し、水蒸気発生面が目及び目の周囲に適用される水蒸気発生体において、該水蒸気発生面が透湿性素材から形成され、該水蒸気発生面から放出される水蒸気の温度が５０℃以下に制御されており、適用時に目用水蒸気発生体が目及び目の周囲を覆うアイマスク様形状をなしており且つ水蒸気発生部が目上に位置するように配設されており、水蒸気温度を５０℃以下に制御する温度調整部材として、(1)織布、不織布、(2)紙類、(3)プラスチック、天然ゴム、再生ゴム又は合成ゴムから形成した多孔性フィルム又は多孔性シート、(4)穿孔を有する金属箔の少なくとも１種を含む積層物が設けられている目用水蒸気発生体である（特許文献１参照）。
【０００３】
この目用水蒸気発生体によれば、眼精疲労、その他の問題を引き起こす目の乾きに対し、化学エネルギーを利用した簡便な構成により、蒸しタオルのような安全な蒸気を持続的に目及び目の周囲へ導くことができるというものである。
【０００４】
また、公知に係る第２の従来技術として、空気の存在によって発熱反応を起こす発熱組成物を、袋状、シート状等の所望形態の通気性収容体内に封入し、前記収容体に親水性高分子増粘剤から得られる含水親水性ゲル剤からなる粘着剤層を設けてなる発熱体であって、前記含水親水性ゲル剤に有機質充填剤を含ませた発熱体である（特許文献２参照）。
【０００５】
この発熱体によれば、適度な粘着力を有し、貼付時及び使用初期においての身体に与えるひんやり感を低減し、使用性に優れた発熱性シート剤等の発熱体が得られる、というものである。
【０００６】
更に、第３の公知に係る従来技術として、水蒸気発生組成物が内蔵され、該水蒸気発生組成物が少なくとも第１の透湿性シートと第２の透湿性シートとで順次覆われてなり、密封保存される目用水蒸気発生シートであって、第１の透湿性シートは透湿度（ＡＳＴＭ  Ｅ−９６−８０Ｄ法）６００ｇ／ｍ２／２４ｈｒ以上、第２の透湿性シートは透湿度（ＡＳＴＭ  Ｅ−９６−８０Ｄ法）７００−３０００ｇ／ｍ２／２４ｈｒであり、第１の透湿性シートと第２の透湿性シートが、双方の間に水蒸気滞留空間が生じ得るように設けられ、水蒸気発生組成物を覆う透湿性シートの少なくとも一つが耐水度４００ｍｍ以上である目用水蒸気発生温熱シートである（特許文献３参照）。
【０００７】
この目用水蒸気発生温熱シートは、包装材から取り出した後の水蒸気放出状態において、第１の透湿性シートと第２の透湿性シートとの間に水蒸気滞留空間が形成されるようにすることにより、目及びその周囲に供給する水蒸気温度を安全で、眼精疲労等の緩和に効果的な温度に調整し、かつその温度水蒸気を適用部位全体に均一に供給するので、幾層もの温度緩衝材が不要となる。したがって、目用水蒸気発生温熱シートを薄く形成できるもので、使用感、携帯性、流通効率が向上し、製造コストを抑えることが可能となる、というものである。
【先行技術文献】
【特許文献】
【０００８】
【特許文献１】特許第３６２９９５６号公報
【特許文献２】特許第４３２３１５５号公報
【特許文献３】特開２００４−７３６８８号公報
【発明の概要】
【発明が解決しようとする課題】
【０００９】
前記第１の従来技術においては、化学エネルギーを利用した水蒸気発生部を有し、水蒸気発生面が目及び目の周囲に適用される水蒸気発生体において、該水蒸気発生面が透湿性素材から形成され、該水蒸気発生面から放出される水蒸気の温度が５０℃以下に制御されているとしているが、それでも例えば５０℃では３分間（圧迫）で受傷することから、低温火傷の防止までは解決されていないし、化粧効果についても言及されていないのである。
【００１０】
また、前記第２の従来技術においては、空気の存在によって発熱反応を起こす発熱組成物と、親水性高分子増粘剤から得られる含水親水性ゲル剤に有機質充填剤を含ませものとを通気性収容体内に封入したもので、適度な粘着力を有し、貼付時及び使用初期においての身体に与えるひんやり感を低減し、使用性に優れた発熱性シート剤等の発熱体が得られるというだけのもので、低温火傷や化粧効果については言及されていない。
【００１１】
更に、前記第３の従来技術においては、設定温度を３５〜６０℃で６０分間の加熱が説明されているが、実際に５０℃を超えることがあったりすると、短時間で低温火傷を負うことになり、また、化粧効果については言及されていない。
【００１２】
いずれにしても、従来技術では、低温火傷に対する対策や、肌の化粧効果についての対策がなされていないのであり、これらを低温火傷の防止や化粧効果の向上を含めて眼精疲労の回復が図れるような実用的な目用温湿化粧水シートとして使用できるようにすることに解決課題を有している。
【課題を解決するための手段】
【００１３】
前述の課題を解決する具体的手段として、本発明は、空気の存在によって発熱反応をする発熱部材を不織布で形成した表面シートと裏面シートとの間に挟み、裏面シートに含水親水性ゲル剤からなる粘着シートを取り付けた目用温湿化粧水シートであって、前記粘着シートの含水親水性ゲル剤中に少なくともヒアルロン酸ナトリウム若しくは酢酸トコフェロールを含んでいることを特徴とする目用温湿化粧水シートを提供するものである。
【００１４】
この発明においては、前記発熱部材の使用量と厚みとを調整して発熱温度と時間とを調整したこと、を付加的な要件として含むものである。
【発明の効果】
【００１５】
本発明に係る目用温湿化粧水シートにおいては、目用温湿化粧水シートを構成する粘着シートの含水親水性ゲル剤中に、少なくともヒアルロン酸ナトリウム若しくは酢酸トコフェロールを含んでいることによって、眼精疲労の回復だけでなく、保湿性が良く肌荒れ改善について優れた効果を奏する。
また、発熱部材の使用量と厚みとを調整して発熱温度と時間とを調整したことによって、発熱温度は４５℃未満で発熱時間も１時間以下になるように設定してあるので、材料使用に無駄がなく経済的であると共に、うっかり睡眠しても低温火傷は生じないという優れた効果を奏する。
【図面の簡単な説明】
【００１６】
【図１】本発明の実施の形態に係る目用温湿化粧水シートを略示的に示した正面図である。
【図２】図１のＡ−Ａ線に沿う断面図である。
【図３】同実施の形態に係る目用温湿化粧水シートの内部に収納する発熱体の構成が判るように一部を開いて示した平面図である。
【発明を実施するための形態】
【００１７】
本発明を図示の実施の形態に基づいて詳しく説明する。まず、図１〜３に示した好ましい実施の形態において、本発明に係る目用温湿化粧水シートは、不織布で眼鏡状に形成された表面シート１と裏面シ−ト２との間に一対の発熱部材（一種のカイロ）３を介在させ、裏面シート２には保水剤等を含むゲル剤を保有し水蒸気を発生させる貼着シート４を取り付けた構成であって、該貼着シート４には、剥離用または保護用フィルム５が貼り付けてあり、さらに、樹脂フィルムで形成した機密性の包装用袋体６に収納し、周囲をシール７することにより密封されている。
【００１８】
前記発熱部材３として、従来から知られている空気に触れることによって発熱する材料として、例えば、金属粉と活性炭と反応助剤とが用いられる。金属粉としては、鋳鉄粉、還元鉄粉、電解鉄粉等であり、活性炭として、椰子殻粉、木粉炭、ビート炭等であり、反応助剤としては、例えば、水、食塩、バーミキュライト等であり、これらの適当量を、図３に示したように、所要大きさの通気性を有する袋体８内に入れ、平均的に４ｍｍ以下の厚みにして、図１に示したように、眼鏡状の両側に配設して表面シート１と裏面シート２とで表裏から挟み周辺を接着させることで内部に保持するのである。
【００１９】
水蒸気を発生させる貼着シート４としては、要するに、含水親水性ゲル剤に有機質充填剤を含ませたものであって、含水親水性ゲル剤としては、例えば、ポリアクリル酸ナトリウム、ポリビニルアルコール、セルロース誘導体等の親水性高分子増粘剤から選択される。有機質充填剤としては、例えば、結晶セルロース、木粉、植物乾燥粉末などから選択される。
【００２０】
また、裏面シート２に設けられた粘着シート４は、使用時において顔面にある程度の粘着力をもって貼り付くものであるが、目用温湿化粧水シートとして使用する時まで他の部所または部品、例えば、包装用袋体６等と貼り付かないように、剥離用または保護用フィルム５を貼り付けて隔離してある。そして、機密性のある包装用袋体６に収納し、内部の空気を排除して封止することにより安定した状態を維持できる。
【００２１】
さらに、発熱部材３として、発熱時間長さを調整する手段としては、発熱材料の収容量を増減することにより調整することができる。その場合には、収容する袋体８の大きさも大・中・小に形成すると共に全体を薄く（２〜４ｍｍ）形成して使い分けるのである。収容する量が多くて厚いと発熱温度が高くなるし時間も長くなり、収容する量が少なくて薄いと発熱温度が低くなるし時間も短くなる。また、発熱効果をより良くするために小径のものを複数枚（左右合計で４枚〜８枚）使用することもできる。
【００２２】
前記実施の形態に係る成分の具体的配合例を実施例として比較例と共に表１-１として示す。また、発熱部材の使用量および厚みは、カイロ充填比率で示す。尚、カイロ充填比率はカイロ組成物の重量(g)をカイロ袋体占有（タテ・ａ×ヨコ・ｂ）面積(cm2)で割って算出した数値である。カイロ充填比率は、０．２４〜０．２９g/cm2が好ましい。厚みは２〜４ｍｍが好ましい。
［表１−１］発熱部材のカイロ組成およびカイロ充填比率
2013094484.tif 000003
本発明の目用温湿化粧水シートを検体として１〜２０枚包装用袋体から取り出し、当該目用温湿化粧水シートの粘着シートにガーゼを５枚重ね、粘着シート面から１枚目と２枚目のガーゼに温度計のフラットセンサーを発熱部材（一種のカイロ）のおよそ中央部に相当する位置に差し込み、経時的に温度を測定した。試験データを表１-２に示す。
発熱温度は３５℃〜４８℃、時間は３０分〜１時間３０分であることが好ましい。
［表１−２］温度特性試験データ
2013094484.tif 000004
2013094484.tif 000005
【００２３】
［表２］貼着シートについて
2013094484.tif 000006
【００２４】
化粧効果のテストについて（パネラー７名）
室温１５℃、湿度４０％の環境下、本発明の目用温湿化粧水シートの入った袋を半開し、約３分間、袋中で目用温湿化粧水シートを発熱させた後、その袋を全開して温かな目用温湿化粧水シートを取り出して、目用温湿化粧水シートをパネラーの目元に適用する。15分間目用温湿化粧水シートを保持してもらった。そのあと、下記アンケート項目について回答してもらい、その回答を集計し表３に示した。
［表３］
2013094484.tif 000007
【００２５】
特に、前記表３から明らかなように、眼精疲労の回復と相俟って保湿性が良く肌荒れ改善について顕著な効果を示すのであります。そして、発熱部材３の収容量を調整して発熱温度は３５℃〜４８℃で、発熱時間も３０分〜１時間３０分になるように設定してあるので、材料使用に無駄がなく低温火傷は生じないのである。
【００２６】
上記で説明した水蒸気を発生させる貼着シート４の有効成分としては、さらに、下記物質の圧搾物、抽出物または化合物等が挙げられる。
アロエ、カミツレ、カンゾウ、モモ葉、イチョウ、クマザサ、レイシ、冬虫夏草、セイヨウハッカ、ミドリハッカ、アップルミント、Ｎ−アセチルグルコサミン、グルコサミン、ウコン、ボタンピ、ヒアルロン酸、ヒアルロン酸Ｎａ、アミノ酸（グリシン、ヴァリン、ロイシン等）、α−トコフェロール、酢酸トコフェロール、ニコチン酸−ＤＬ−α−トコフェロール、コハク酸−ＤＬ−α−トコフェロール、Ｌ−アスコルビン酸、Ｌ−アスコルビン酸ジパルミチン酸エステル、Ｌ−アスコルビン酸−２硫酸ナトリウム、Ｌ−アスコルビン酸リン酸エステル、パントテン酸カルシウム、Ｄ−パントテニルアルコール、ビタミンＰ、ビオチン、アラントイン、ニコチン酸アミド、コハク酸−ＤＬ−α−トコフェロール（ ビタミンＥ 類） 、カプサイシン、レチノール、レチノールパルミチン酸エステル、レチノイン酸、酢酸レチノール（ ビタミンＡ 類） 、リボフラビン、酢酸リボフラビン、プラセンタ抽出物、乳酸菌、コレステロール、コレステロール高級脂肪酸エステル（ コレステロール誘導体）、スフィンゴ脂質、セラミド、リン脂質、ムコ多糖類、コラーゲン、エラスチン、キチン、キトサン、加水分解卵殻膜などである。
【００２７】
また、貼着シート４の含水親水性ゲル剤に配合できるものとしては、上記の他に、通常化粧料に配合される各種の顔料、油剤、フッ素化合物、樹脂、粘剤、防腐防菌剤、香料、他の保湿剤、塩類、溶媒、酸化防止剤、キレート剤、中和剤、ｐＨ調整剤、昆虫忌避剤等の成分を使用することができる。
【００２８】
なお、前述の有効成分の抽出溶媒としては、水、アルコール類（ 例えば、メタノール、無水エタノール、エタノール等の低級アルコール、プロピレングリコール、１ ， ３ − ブチレングリコール等の多価アルコール） 、アセトン等のケトン類、アセトニトリル、酢酸エチルエステル等のエステル類、クロロホルム等の有機溶媒の一種以上を任意に組み合わせて使用することができる。
【００２９】
本発明で用いられる有効成分の含有量は、貼着シート４の含水親水性ゲル剤の総量を基準として、成分固形分換算で０．０１ 〜 ５．０ ％ が好ましく、特に好ましくは０．１ 〜 ２．０ ％ である。０．０１ 以上で、皮膚への保湿、コンディショニング機能などが十分に発揮され、コスト的に有利である。
【産業上の利用可能性】
【００３０】
本発明に係る目用温湿化粧水シートは、空気の存在によって発熱反応をする発熱部材を不織布で形成した表面シート１と裏面シート２との間に挟み、裏面シート２に含水親水性ゲル剤からなる粘着シート４を取り付けた目用温湿化粧水シートであること、そして、前記粘着シート４の含水親水性ゲル剤中に少なくともヒアルロン酸ナトリウム若しくは酢酸トコフェロールを含んでいることが要件であって、それによって、眼精疲労の回復だけでなく、保湿性が良く肌荒れ改善について顕著な効果を期待できるのであり、他の化粧用湿化粧水シートとして広く利用できる。
【符号の説明】
【００３１】
１  表面シート
２  裏面シ−ト
３  発熱部材（一種のカイロ）
４  貼着シート
５  保護用フィルム
６  包装用袋体
７  シール
８  袋体
【図１】
2013094484.tif 000008
【図２】
2013094484.tif 000009
【図３】
2013094484.tif 000010